(57)【要約】【課題】好適なタイミングで録画設定メールを受信できる録画装置及び録画方法の提供【解決手段】本実施形態の録画装置は、放送番組の映像データと番組情報とを受信する受信手段と、ユーザの嗜好に関する嗜好情報を格納する格納手段と、番組情報に含まれる複数番組の放送時間のうち、嗜好情報に応じた一部の番組の放送時間に基づいた時間に、サーバ装置に対してメール要求を送信する送信手段と、メール要求に対してサーバ装置から送信されたメールを受信するメール受信手段と、受信されたメールの内容を用いて録画を予約する予約手段と、予約に応じて、受信手段が受信する映像データを記憶装置に録画する録画手段とを備える。【選択図】  図３
2012151672.tif 000002
【特許請求の範囲】
【請求項１】
放送番組の映像データと番組情報とを受信する受信手段と、
ユーザの嗜好に関する嗜好情報を格納する格納手段と、
前記番組情報に含まれる複数番組の放送時間のうち、前記嗜好情報に応じた一部の番組の放送時間に基づいた時間に、サーバ装置に対してメール要求を送信する送信手段と、
前記メール要求に対して前記サーバ装置から送信されたメールを受信するメール受信手段と、
受信された前記メールの内容を用いて録画を予約する予約手段と、
前記予約に応じて、前記受信手段が受信する前記映像データを記憶装置に録画する録画手段と
を備える録画装置。
【請求項２】
前記メール受信手段は、前記嗜好情報に応じた前記一部の番組の放送開始時間の一定時間前の時間に前記メール要求を送信する、請求項１記載の録画装置。
【請求項３】
前記嗜好情報を用いて、ユーザが嗜好する番組を判別する判別手段を更に備え、
前記メール受信手段は、番組情報に含まれる複数番組の放送時間のうち、ユーザが嗜好すると判別された一部の番組の放送時間に基づいた時間に前記メール要求を送信する、請求項１記載の録画装置。
【請求項４】
前記嗜好情報を用いて、ユーザが嗜好する放送チャンネルを判別する判別手段を更に備え、
前記メール受信手段は、番組情報に含まれる複数番組の放送時間のうち、ユーザが嗜好すると判別されたチャンネルの番組の放送時間に基づいた時間に前記メール要求を送信する、請求項１記載の録画装置。
【請求項５】
前記嗜好情報を用いて、ユーザが嗜好する放送時間帯を判別する判別手段を更に備え、
前記メール受信手段は、番組情報に含まれる複数番組の放送時間のうち、ユーザが嗜好すると判別された放送時間帯に含まれる番組の放送時間に基づいた時間に前記メール要求を送信する、請求項１記載の録画装置。
【請求項６】
操作入力を受け付ける受付手段を更に備え、
前記メール送信手段は、番組情報に含まれる複数番組の放送時間のうち、前記操作入力に応じた一部の番組の放送時間に基づいた時間に前記メール要求を送信する、請求項1記載の録画装置。
【請求項７】
受信された前記放送番組の映像データをデコードするデコード手段と、
デコードされた前記放送番組に関する前記番組情報に基づいて前記嗜好情報を生成する生成手段と
を更に備える、請求項１記載の録画装置。
【請求項８】
操作入力に応じて前記録画装置に対する電力供給を第１の状態に遷移させ、前記メール要求を送信する場合には、前記録画装置への電力供給を前記第１の状態よりも消費電力の大きな第２の状態に遷移させる電力制御手段を更に備える、請求項１記載の録画装置。
【請求項９】
前記電力制御手段は、前記予約手段が前記録画を予約した後、前記録画装置への電力供給を前記第１の状態に遷移させる、請求項８記載の録画装置。
【請求項１０】
放送番組の映像データと番組情報とを受信することと、
ユーザの嗜好に関する嗜好情報を格納することと、
前記番組情報に含まれる複数番組の放送時間のうち、前記嗜好情報に応じた一部の番組の放送時間に基づいた時間に、サーバ装置に対してメール要求を送信することと、
前記メール要求に対して前記サーバ装置から送信されたメールを受信することと、
受信された前記メールの内容を用いて録画を予約することと、
前記予約に応じて、前記受信手段が受信する前記映像データを記憶装置に録画することと
を備える録画方法。
【発明の詳細な説明】
【技術分野】
【０００１】
本発明の実施形態は、録画装置及び録画方法に関する。
【背景技術】
【０００２】
携帯端末から送信された録画設定メールを受信し、当該メールに基づいて録画を実行する録画装置がある。ここで、携帯端末から送信された録画設定メールはネットワーク上のメールサーバに格納される。そして録画装置は、メールサーバに格納されたメールを受信し、当該メールの記述に従って録画予約の設定及び録画を行う。
【０００３】
また、ユーザにより使用されていない場合に装置構成に対する電力供給を制限して、装置の電力消費を抑制する録画装置がある。このような録画装置において上記のメール受信をする場合には、メール受信に係る構成を例えば一定時間毎に起動してメールを受信し、メール受信完了後に再度電力を制限する。
【先行技術文献】
【特許文献】
【０００４】
【特許文献１】特開２００２−６４８８８６号公報
【発明の概要】
【発明が解決しようとする課題】
【０００５】
ここで、メールサーバに格納された録画設定メールを録画装置が受信する場合には、好適なタイミングで録画設定メールを受信できることが好ましい。
そこで本発明の実施形態は、好適なタイミングで録画設定メールを受信できる録画装置及び録画方法の提供を目的とする。
【課題を解決するための手段】
【０００６】
上記の課題を解決するために、本実施形態の録画装置は、放送番組の映像データと番組情報とを受信する受信手段と、ユーザの嗜好に関する嗜好情報を格納する格納手段と、番組情報に含まれる複数番組の放送時間のうち、嗜好情報に応じた一部の番組の放送時間に基づいた時間に、サーバ装置に対してメール要求を送信する送信手段と、メール要求に対してサーバ装置から送信されたメールを受信するメール受信手段と、受信されたメールの内容を用いて録画を予約する予約手段と、予約に応じて、受信手段が受信する映像データを記憶装置に録画する録画手段とを備える。
【図面の簡単な説明】
【０００７】
【図１】実施形態の録画装置の利用形態例を示す図。
【図２】実施形態の録画装置のシステム構成例を示す図。
【図３】実施形態の録画装置の録画処理に係る機能ブロック例を示す図。
【図４】実施形態の録画装置による録画メール受信処理例を示す図。
【図５】実施形態の録画装置による録画メールの受信処理フローを示す図。
【発明を実施するための形態】
【０００８】
以下、図面を参照して実施形態を説明する。
図１に本実施形態に係る録画装置の利用形態例を示す。録画装置１００は、テレビ放送波を受信し、当該テレビ放送波に重畳された特定の番組を録画する機能を有する。ここで録画装置１００は、ユーザからの録画設定操作に従って録画予約を設定し、設定された時間及びチャンネルの番組を録画する。また録画装置１００は、録画予約設定メール（以下、設定メール）を受信し、当該メールの記述に従って録画を実行する機能も有する。
【０００９】
設定メールは、例えば携帯端末２００により送信される。ここで携帯端末２００は、例えば録画チャンネルや録画時間等の録画予約情報を記述した設定メールを、録画装置１００のメールアドレス宛に送信する。そしてメールサーバ４００は、インターネット３００を介して当該設定メールを受信及び格納する。次にメールサーバは、録画装置１００から、当該録画装置１００のメールアドレス宛のメールを要求するメール要求を受けると、格納している設定メールを録画装置１００に送信する。
【００１０】
そして本実施形態に係る録画装置１００は、メールサーバ４００に対して好適なタイミングでメール要求を送信して当該メールサーバに格納された設定メールを受信し、録画設定を実行することができる。
【００１１】
図２は録画装置１００のシステム構成例を示すブロック図である。録画装置１００は、チューナ１１０、復調部１２０、分離部１３０、デコード部１４０、出力部１５０、操作受付部１６０、通信部１７０、制御部１８０、記憶部１９０等を備える。
【００１２】
チューナ１１０は、例えばＢＳ／ＣＳ（Ｂｒｏａｄｃａｓｔｉｎｇ  Ｓａｔｅｌｌｉｔｅ／Ｃｏｍｍｕｎｉｃａｔｉｏｎ  Ｓａｔｅｌｌｉｔｅ）デジタル放送受信用のアンテナ（不図示）が受信した衛星デジタルテレビジョン放送信号や、地上波放送受信用のアンテナ（不図示）が受信した地上波デジタルテレビジョン放送信号を受信する。
【００１３】
そして復調部１２０は、例えばＰＳＫ（Ｐｈａｓｅ  Ｓｈｉｆｔ  Ｋｅｙｉｎｇ）方式やＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式等により、チューナ１１０が受信した放送信号をＴＳ（Ｔｒａｎｓｐｏｒｔ  Ｓｔｒｅａｍ）形式のデータに復調する。そして復調されたデータは分離部１３０に出力される。
【００１４】
分離部１３０は、入力されたデータに重畳された映像データ、音声データ及び番組情報データ等を分離させる。そして分離部１３０は、分離した映像データ及び音声データをデコード部１４０に、番組情報データを制御部１８０に出力する。なお分離部１３０は、映像を再生する場合には映像データ及び音声データをデコード部１４０に出力するが、録画を行う場合には映像データ及び音声データを記憶部１９０に出力する。
【００１５】
デコード部１４０は、分離部１３０から入力された映像データ及び音声データを復号して、復号したデータを出力部１５０に出力する。出力部１５０は例えばＨＤＭＩ等の出力端子であり、デコード部１４０から入力された映像データを、外部機器に対して出力する。
【００１６】
操作受付部１６０は、ユーザからの操作入力を受け付ける。ここで操作受付部１６０は、例えば録画装置１００に対して録画や再生を指示する操作を受け付ける。そして操作受付部１６０は受け付けた操作入力を制御部１８０に出力する。なお操作受付部１６０は、例えばリモートコントローラ（不図示）や、録画装置１００に設けられた操作パネル（不図示）等を介して操作入力を受け付ける。
【００１７】
通信部１７０は、メールサーバ４００に格納された設定メールを受信する機能を有する。ここで通信部１７０は、制御部１８０からの指示に応じた時間にメールサーバ４００に対してメール要求を送信して、メールサーバ４００から送信されたメールを受信する。そして通信部１７０は、受信した設定メールを制御部１８０に出力する。
【００１８】
制御部１８０は、録画装置１００の各構成を制御する機能を有する。例えば制御部１８０は、チューナ１１０が受信中の映像を再生（デコード）する場合には、映像データのデコード部１４０への出力を分離部１３０に指示し、チューナ１１０が受信中の映像を録画する場合には、映像データの記憶部１９０への出力を分離部１３０に指示する。また制御部１８０、録画された映像データの再生の際には、映像データのデコード部１４０への出力を記憶部１９０に指示する。
【００１９】
また制御部１８０は、録画装置１００がスタンバイモード移行指示を受けた場合に、チューナ１１０、復調部１２０、分離部１３０、デコード部１４０、出力部１５０、通信部１７０等への電力供給を停止させる。そして後述するメール受信処理を行う場合には通信部１７０を起動させ、メール受信処理が完了すると再び通信部１７０を停止させる。また、スタンバイモード中において録画予約が設定された時間になった場合、チューナ１１０、復調部１２０への電力供給を再開して録画を実行し、録画完了時にはこれらモジュールを再び停止させる。
【００２０】
さらに制御部１８０は、録画予約の設定を制御する機能を有するが、当該機能については図３を参照して後述する。
記憶部１９０は、分離部１３０から入力された映像データ及び音声データを記憶（録画）する。また記憶部１９０は、記憶したデータを制御部１８０からの指示に応じて読み出し、制御部１８０を介してデコード部１４０に出力する。
【００２１】
図３は、録画装置１００の録画処理に係る機能ブロック例を示す図である。
制御部１８０は、録画処理に係る機能ブロックとして、番組情報取得部１８１、嗜好情報管理部１８２、メール受信制御部１８４、メール解析部１８５、録画再生制御部１８６等を備える。
【００２２】
番組情報取得部１８１は、分離部１３０から入力された番組情報データを受信する。なお番組情報データとは、例えばデジタル放送におけるＥＰＧデータ等であり、放送チャンネル、番組名、番組の開始時間及び終了時間、各番組の番組内容等を含む。なお番組内容とは、例えば番組タイトル、チャンネル、放送日時、番組出演者名、番組内容説明、番組キーワード、番組ジャンル等の情報である。そして番組情報取得部１８１は、取得した番組情報データを嗜好情報管理部１８２及びメール受信制御部１８４に出力する。
【００２３】
嗜好情報管理部１８２は、ユーザの嗜好に関する情報を管理する。嗜好情報管理部１８２は、例えば録画装置１００の再生履歴や録画履歴を嗜好情報データベース１８３に格納し、当該データベースに基づいてユーザの嗜好を判別する。つまり嗜好情報管理部１８２は、録画再生制御部１８６が録画又は再生した番組についての情報を番組情報取得部１８１から受信し、録画番組又は再生番組とこれら番組の番組情報とを対応付けて嗜好データベース１８３に格納させる。
【００２４】
そして嗜好情報管理部１８２は、嗜好データベースに格納された情報に基づいて、ユーザが嗜好する番組ジャンル、番組キーワード、出演者、放送チャンネル、放送時間帯等のユーザの嗜好を判別する。なおここでの番組キーワードとは、番組情報データにキーワードとして予め格納されたものでも、番組情報データの番組内容説明やタイトル等から抽出されたものでもよい。また録画装置１００は、例えば再生した映像データ及び音声データを解析してこれらデータ映像に含まれる文字や音声を検出し、当該文字や音声をキーワード化してもよい。
【００２５】
そして嗜好情報管理部１８２は、判別した嗜好についての情報をメール受信制御部１８４に出力する。なお嗜好情報管理部１８２は、操作受付部１６０からユーザの嗜好を設定する操作入力を受け、当該操作入力に応じて嗜好情報を設定しても良い。ここで嗜好を設定する操作入力とは、例えばユーザの嗜好するジャンル、キーワード、出演者等を設定する操作入力等である。
【００２６】
嗜好情報データベース１８３は、例えば記憶部１９０やメモリ（不図示）に設けられる格納領域であり、録画装置１００が再生又は録画した番組の番組情報を格納する。また嗜好情報データベース１８３は、ユーザにより設定された嗜好情報を格納しても良い。
【００２７】
メール受信制御部１８４は、メールサーバ４００からの設定メールの受信を制御する。ここでメール受信制御部１８４は、番組情報取得部１８１からの番組情報データや、嗜好情報管理部１８２からの嗜好情報に基づいてメールの受信時間を決定し、決定した受信時間についての情報を電源制御部１８７に出力する。
【００２８】
そしてメール受信制御部１８４は、当該受信時間になると、メールサーバ４００に対してメール要求を送信し、当該要求に対して送信されたメールを受信する。そしてメール受信制御部１８４は、受信したメールをメール解析部１８５に出力する。なお受信時間決定の詳細については図４を参照して後述する。
【００２９】
メール解析部１８５は、入力されたメールに記述された内容を解析して、当該記述内容を録画再生制御部１８６が解釈可能なコマンドに変換する。そしてメール解析部１８５は、変換したコマンドを録画再生制御部１８６に出力する。つまりメール解析部１８５は、メールに含まれる、録画日、録画開始時間、録画終了時間、及び録画チャンネルをそれぞれ検出して、これらの情報を録画再生制御部１８６に出力する。
【００３０】
録画再生制御部１８６は、録画装置１００による録画処理及び再生処理を制御する。録画処理においては、例えば操作受付部１６０が受け付けた録画指示に応じて、当該録画指示が指定する番組を録画する。また再生処理において録画再生制御部１８６は、記憶部１９０に記憶された番組の映像データ又はチューナ１１０が受信している番組の映像データをデコード部１４０に再生（デコード）させる。そして録画再生制御部１８６は、何れの番組を録画又は再生したかを嗜好情報管理部１８２に通知する。
【００３１】
また録画再生制御部１８６は、メール解析部１８５から入力されたコマンドに応じて、当該コマンドが指示する録画日、録画開始時間、録画終了時間、及び録画チャンネルでの録画予約を設定する。
【００３２】
電源制御部１８７は、録画装置１００の各構成に対する電力供給を制御する。つまり、例えばリモートコントローラ等の操作端末から録画装置１００に対する装置停止指示を受けると、電源制御部１８７は録画装置１００をスタンバイモードに移行させ、例えばリモートコントローラからの起動指示を受ける構成以外の構成への電力供給を制限する。
【００３３】
そして電源制御部１８７は、メール受信制御部１８４から入力されたメール受信時間情報に応じ、メール受信時間になると、設定メールを受信する構成及び当該メールを用いて録画予約する構成を起動させ、メール受信及び録画予約が完了すると、これらの構成に対する電力供給を制限する。また電源制御部１８７は、録画予約時間になると録画に係る構成に電力を供給し、録画しない時間にはこれら構成への電力供給を停止しても良い。
【００３４】
図４は録画装置１００による録画予約設定メールの受信タイミングの例を示す図である。チャンネル１には番組Ａ１乃至Ａ５が、チャンネル２には番組Ｂ１乃至Ｂ４が、チャンネル３には番組Ｃ１乃至Ｃ６が、チャンネル４には番組Ｄ１乃至Ｄ８がスケジュールされており、録画装置１００は放送信号に重畳された番組情報データから番組毎の開始／終了時間情報を取得する。
【００３５】
ここでメール受信制御部１８４は、取得した番組情報データに基づいて夫々の番組の開始時間Ｔ１乃至Ｔ９の一定時間前にメール受信時間を設定する。これにより、何れかの番組の録画予約を指示する設定メールが当該番組の開始時間に近い時間に送信された場合であっても、録画装置１００は当該メールを受信して録画予約を設定し、ユーザの所望した番組を録画することができる。なお、番組開始の一定時間前の時間とは、少なくとも当該番組の開始までにメール受信、メール解析、録画予約設定を完了できる時間であれば良い。
【００３６】
しかしながら録画装置１００は、Ｔ１乃至Ｔ９の全ての番組開始時間に対してメール受信処理を実行すると、当該メール受信に係る構成を頻繁に起動することとなり、装置の電力消費を抑制できない恐れがある。
【００３７】
そこでメール受信制御部１８４は、メール受信する時間をユーザの嗜好情報に基づいて、複数番組のうちの一部の番組の開始時間の一定時間前をメール受信時間として決定する。つまり、例えばユーザの録画又は再生履歴に基づき、ユーザがチャンネル３及び４の番組を視聴しておらず、ユーザの嗜好するチャンネルがチャンネル１及び２であると判別された場合、メール受信制御部１８４は、チャンネル１及び２の番組の番組開始時間Ｔ１乃至Ｔ４、Ｔ６及びＴ９の一定時間前をメール受信時間として設定する。またメール受信制御部１８４は、例えばユーザが嗜好するチャンネルの選択操作を操作受付部１６０が受けた場合、当該選択を受けたチャンネルの番組の開始時間前をメール受信時間として設定しても良い。
【００３８】
あるいはメール受信制御部１８４は、番組情報データに含まれる複数の番組のうち、ユーザが嗜好すると判別された内容の番組の開始時間の一定時間前をメール受信時間として設定してもよい。なお、ここで番組内容とは、例えば番組ジャンル、出演者、番組キーワード等である。またユーザが嗜好する番組内容は、録画及び再生履歴から判別されても良いし、あるいはユーザからの操作入力により設定されてもよい。そしてこの場合にメール受信制御部１８４は、例えば嗜好の度合いに応じてメール受信時間を設定しても良い。つまり、嗜好の度合いが高い番組については、番組毎にこれら番組の開始時間前をメール受信時間として設定し、嗜好の度合いが低い番組は例えば複数番組を１のグループにまとめて、当該グループのうち先の時間に放送される番組の開始時間前をメール受信時間としてもよい。
【００３９】
またメール受信制御部１８４は、ユーザが嗜好する番組の時間帯と、それ以外の時間帯とで、異なるメール受信頻度となるようにメール受信時間を設定しても良い。例えば、履歴情報データベース１８３に格納された録画及び再生（視聴）履歴に基づいてユーザが頻繁に番組を録画又は再生（視聴）していると判別される時間帯には複数チャンネルの夫々の番組の開始時間毎にメール受信を行い、ユーザが番組を録画又は再生（視聴）していない番組の時間帯には数時間毎にメール受信を行うようにしてもよい。なおユーザが嗜好する放送時間帯についての情報は、ユーザからの操作入力により設定されてもよい。
【００４０】
なおメール受信制御部１８４は、例えばユーザからのメール受信時間を設定する操作入力を受け付けて、当該操作入力に応じてメール受信してもよい。そしてこの場合にメール受信制御部１８４は、操作入力により設定されたメール受信時間と、ユーザの嗜好に応じたメール受信時間との両方をメール受信時間として設定しても良い。
【００４１】
図５は、録画装置１００による録画設定メール受信に係る処理フロー例を示す図である。
本処理フローにおいてメール受信制御部１８４は、放送信号に重畳された番組情報データを取得する（Ｓ５０１）。次にメール受信制御部１８４は、履歴情報データベース１８３に格納された録画及び再生（視聴）履歴に基づいた嗜好情報、及びユーザ操作により入力された嗜好情報を取得する（Ｓ５０２）。そしてメール受信制御部１８４は、番組情報データと嗜好情報とに基づいて、複数番組のうち一部の番組の放送開始時間の一定時間前にメール受信時間を設定する（Ｓ５０３）。そして録画装置１００は、例えばリモートコントローラ等からのスタンバイモード移行指示を受けると（Ｓ５０４のＹｅｓ）、録画装置１００の各構成に対する電力供給を制限してスタンバイモードに移行する（Ｓ５０５）。
【００４２】
電源制御部１８７は、設定されたメール受信時間になると（Ｓ５０６のＹｅｓ）、メール受信、メール解析及び録画予約設定に係る構成に電力を供給してこれら構成を起動させる（Ｓ５０７）。そしてメール受信制御部１８４は、通信部１７０からメールサーバ４００に対してメール要求を送信し（Ｓ５０８）、メールサーバ４００に録画装置１００のメールアドレス宛のメールが格納されている場合は、当該メールを受信する（Ｓ５０９のＹｅｓ）。
【００４３】
メール解析部１８５は受信されたメールの内容を解析し（Ｓ５１０）、録画再生制御部１８６は解析されたメール内容に応じた録画日、録画開始時間、録画終了時間及び録画チャンネルで録画予約を設定する（Ｓ５１１）。次に電源制御部１８７は、Ｓ５０７にて起動した構成への電力供給を制限して停止させ（Ｓ５１２）、録画装置１００は再びＳ５０４の処理を実行する。なおメール受信制御部１８４は、Ｓ５０８においてメールサーバ４００にメール要求を送信した後、例えば一定時間が経過してもメールを受信しない場合（Ｓ５０９のＮｏ）、Ｓ５１２の処理を実行する。またメール受信制御部１８４は、Ｓ５０３において、番組放送開始時間の前にメール受信時間を設定するだけでなく、例えばユーザの嗜好の度合いが高いと判別される番組やユーザにより選択された番組については、番組放送開始時間の後の時間において一定時間毎にメール受信時間を設定しても良い。
【００４４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４５】
１００…録画装置、１１０…チューナ、１２０…復調部、１３０…分離部、１４０…デコード部、１５０…出力部、１６０…操作受付部、１７０…通信部、１８０…制御部、１８１…番組情報取得部、１８２…嗜好情報管理部、１８３…嗜好情報データベース、１８４…メール受信制御部、１８５…メール解析部、１８６…録画再生制御部、１８７…電源制御部、１９０…記憶部、２００…携帯端末、３００…インターネット、４００…メールサーバ
【図１】
2012151672.tif 000003
【図２】
2012151672.tif 000004
【図３】
2012151672.tif 000005
【図４】
2012151672.tif 000006
【図５】
2012151672.tif 000007